(57)【要約】      （修正有）【課題】キャラクターを描いた受け具を介してカップを市販ボトルに着脱自在に取り付け、飲料を飲むときはカップを市販ボトルから外して飲料を移して飲むことができ、外観の印象が良好な市販ボトル装着用容器を提供する。【解決手段】有底筒状のカップ３６と、カップ３６を市販ボトル１２の内容物を取り出す注ぎ口に係止される受け具１４から成る。受け具１４には、市販ボトル１２の注ぎ口を覆う円筒状の覆い部２０と、覆い部２０の先端を閉鎖する天面２２と、覆い部２０の天面２２と反対側の周縁部に連続する係止筒部２４とを備える。係止筒部２４には、係合凹部を有する。カップ３６は透明な合成樹脂で作られ、受け具１４の覆い部２０と天面２２を覆う大きさである。カップ３６の開口部３８近傍には、受け具１４の係止筒部２４の係合凹部に嵌合して係止される係合突起を備える。【選択図】図１
0003146619.tif 000002
【実用新案登録請求の範囲】
【請求項１】
有底筒状のカップと、市販ボトルの内容物を取り出す注ぎ口に係止される受け具から成り、前記受け具に前記カップが着脱自在に設けられていることを特徴とする市販ボトル装着用容器。
【請求項２】
前記受け具には、前記市販ボトルの注ぎ口を覆う円筒状の覆い部と、前記覆い部の先端を閉鎖する天面と、前記覆い部の前記天面と反対側の周縁部に連続する係止筒部と、前記係止筒部に形成された係合凹部と、前記覆い部または前記天面に設けられたキャラクターの凹凸または絵柄が形成され、前記カップは、透明な合成樹脂で作られ前記受け具の前記覆い部と前記天面を覆う大きさであり、前記カップの開口部近傍には前記受け具の前記係止筒部の前記係合凹部に嵌合して係止される係合突起が設けられ、前記カップの前記係合突起を、前記受け具の前記係合凹部に係止して取り付けた状態で、前記カップを透視して前記覆い部または前記天面に設けられたキャラクターの凹凸または絵柄が視認可能であることを特徴とする請求項１記載の市販ボトル装着用容器。
【請求項３】
前記受け具の前記係止筒部は、前記覆い部の挿通方向に対して平行な中心軸を有する円筒形であり、前記係止筒部の内周面には前記覆い部の周縁部が連続し、前記係止筒部の内周面の、前記覆い部の周縁部近傍に、前記カップの前記係合突起が係止される前記係合凹部が形成されていることを特徴とする請求項１又は２記載の市販ボトル装着用容器。
【請求項４】
前記受け具の前記係止筒部には、前記係合凹部が前記覆い部の周縁部をはさんで両側に設けられ、前記カップは、前記受け具の上側又は下側の両方に係合可能であり、前記カップと前記受け具の間の空間は収容空間となることを特徴とする請求項１、２又は３記載の市販ボトル装着用容器。
【請求項５】
前記受け具には、前記受け具の内外に連通する開口部が設けられ、前記開口部には着脱可能に密閉されるキャップが設けられ、前記キャップにはキャラクターの凹凸又は絵柄が設けられていることを特徴とする請求項１記載の市販ボトル装着用容器。
【請求項６】
前記受け具は、前記市販ボトルの前記注ぎ口を閉鎖する蓋に係止されること特徴とする請求項１記載の市販ボトル装着用容器。
【請求項７】
前記受け具は、前記市販ボトルの前記注ぎ口の雄ネジに直接係止されること特徴とする請求項１記載の市販ボトル装着用容器。
【考案の詳細な説明】
【技術分野】
【０００１】
この考案は、ジュース等の飲料が入れられて市販される市販ＰＥＴボトル等に取り付け、コップや収容容器として使用する市販ボトル装着用容器に関する。
【背景技術】
【０００２】
従来、お茶やジュース等の飲料が入れられて市販されるポリエチレン（ＰＥＴ）製等のボトルは、いろいろな容量のものが作られ、特に５００ｍｌの市販ボトルは、１人分として手ごろな大きさであり携帯用として使用され、外出先で直接口を付けたり、ストローを差し込んだりして飲料を飲むことがある。しかし、市販ボトルに直接口を付けて飲用することは、内の飲料に汚れや唾液が入り衛生的ではなく、また直接口を付けて飲むことは見た目にあまり良くなかった。
【０００３】
この問題を解決するため市販ボトルにカップを着脱可能に取り付け、市販ボトルに収容された飲料をこのカップに移して飲むことができるものがある。特許文献１に開示されている市販ボトル装着用容器は、有底筒状のカップと、カップを市販ボトルの注ぎ口や注ぎ口に取り付ける蓋に係止する係合部が設けられている。この市販ボトル装着用容器は、市販ボトルの注ぎ口や蓋に着脱自在に取り付けられ、市販ボトル内の飲料を飲むときは、市販ボトル１から外して飲料を移して飲むことができる。
【特許文献１】特開２００２−３４７７９６号公報
【考案の開示】
【考案が解決しようとする課題】
【０００４】
上記特許文献の技術の場合、市販ボトルにカップのみが取り付けられたシンプルな形状であり、消費者に与える印象が薄く、消費者の購買意欲を起こさせるものではなかった。また、カップの内側に収容部を設けて菓子等を入れることは考えられていなかった。
【０００５】
この考案は、上記従来の技術の問題点に鑑みてなされたものであり、キャラクターを描いた受け具を介してカップを市販ボトルに着脱自在に取り付け、飲料を飲むときはカップを市販ボトルから外して飲料を移して飲むことができ、外観の印象が良好な市販ボトル装着用容器を提供することを目的とする。
【課題を解決するための手段】
【０００６】
本考案は、有底筒状のカップと、前記カップを市販ボトルの内容物を取り出す注ぎ口に係止する受け具が設けられている市販ボトル装着用容器である。
【０００７】
また、前記受け具には、前記市販ボトルの注ぎ口を覆う円筒状の覆い部と、前記覆い部の先端を閉鎖する天面と、前記覆い部の前記天面と反対側の周縁部に連続する係止筒部と、前記係止筒部に形成された係合凹部と、前記覆い部または前記天面に設けられたキャラクターの凹凸または絵柄が設けられ、前記カップは透明な合成樹脂で作られ前記受け具の前記覆い部と前記天面を覆う大きさであり、前記カップの開口部近傍には前記受け具の前記係止筒部の前記係合凹部に嵌合して係止される係合突起が設けられ、前記カップの前記係合突起を、前記受け具の前記係合凹部に係止して取り付けたとき、前記カップを透視して前記覆い部または前記天面に設けられたキャラクターの凹凸または絵柄が視認されるものである。キャラクターの絵柄は、目や口、鼻等の顔のパーツである。
【０００８】
また、前記受け具の前記係止筒部は、前記覆い部の挿通方向に対して平行な中心軸を有する円筒形であり、前記係止筒部の内周面には前記覆い部の周縁部が連続し、前記係止筒部の内周面の、前記覆い部の周縁部近傍に、前記カップの前記係合突起が係止される前記係合凹部が形成されている。前記係合凹部は、前記覆い部の周縁部をはさんで両側に設けられてもよく、この場合、カップは前記受け具の上側又は下側の両方に係合可能であり、前記カップと前記受け具の間の空間は収容空間としてもよい。
【０００９】
また、前記受け具には、前記受け具の内外に連通する開口部が設けられ、前記開口部には着脱可能に密閉されるキャップが設けられ、前記キャップにはキャラクターの凹凸又は絵柄が設けられている。前記キャップは、ヒンジで前記受け具に一体に設けられている。前記キャップの内周面に雌ネジが設けられ、前記受け具の前記開口部周縁部には雄ネジが設けられ、互いに螺合して取り付けられている。
【００１０】
前記受け具は、前記市販ボトルの前記注ぎ口に直接係止されず、前記市販ボトルの前記注ぎ口を閉鎖する蓋に係止される。または、前記受け具は、前記市販ボトルの前記注ぎ口の雄ネジに直接螺合して係止されてもよい。
【考案の効果】
【００１１】
本考案の市販ボトル装着用容器は、キャラクターを描いた受け具を介してカップを市販ボトルに着脱自在に取り付け、飲料を飲むときはカップを市販ボトルから外して飲料を移して飲むことができる。受け具にはキャラクターが描かれているため外観が良好であり、消費者に強い印象を与え、購買意欲を生じさせることができるものである。また、受け具とカップの間に小物を収容することもできる。
【考案を実施するための最良の形態】
【００１２】
以下、この考案の実施形態について図面に基づいて説明する。図１〜図３はこの考案の第一実施形態を示すもので、この実施形態の市販ボトル装着用容器１０は、市販ボトル１２に係合される受け具１４が設けられている。ここで市販ボトル１２について説明する。市販ボトル１２は、一端部に円筒状の注ぎ口１６が一体に形成され、注ぎ口１６の外周面には蓋１８が取り付けられる雄ネジが形成されている。そして、注ぎ口１６に取り付けられる蓋１８は、外側面には縦方向の溝部１９が形成され、内周面には市販ボトル１２の注ぎ口１６の雄ネジに螺合される雌ネジが形成されている。
【００１３】
市販ボトル装着用容器１０の受け具１４は、市販ボトル１２の注ぎ口１６と注ぎ口１６に取り付けられ蓋１８を覆う円筒状の覆い部２０が設けられ、覆い部２０の先端には天面２２が形成されて閉鎖されている。覆い部２０の内周面には、蓋１８の溝部１９が嵌合される図示しない溝部が形成されている。覆い部２０の、天面２２と反対側の周縁部２０ａは円錐状に広がり、係止筒部２４が一体に設けられている。係止筒部２４は、覆い部２０の挿通方向に対して平行な中心軸を有する円筒形であり、係止筒部２４の内周面に、覆い部２０の周縁部２０ａが連続している。係止筒部２４の内周面には、覆い部２０の周縁部２０ａが連続する位置よりも僅かに覆い部２０の突出方向に移動した位置、つまり上側に、後述するカップ３６の係合突起４０が差し込まれる係合凹部２６が、全周に亘り形成されている。係止筒部２４の外周面には、所定位置に一対の突起２８が側方に突出して設けられている。覆い部２０の外周面には、係止筒部２４の突起２８を一対の耳として覆い部２０を豚のキャラクターの顔に見立てて豚が上側を向いているように、顔の絵柄である目３０と口３２が印刷されている。天面２２には、豚の鼻の穴３４が印刷されている。
【００１４】
受け具１４には、有底筒状のカップ３６が着脱自在に設けられている。カップ３６は、適度な弾力性を有する透明な合成樹脂で作られている。そして、カップ３６の開口部３８の周縁部の外周面には、受け具１４の係合凹部２６に差し込まれて係止される係合突起４０が設けられている。
【００１５】
次に、この実施形態の市販ボトル装着用容器１０の使用方法について説明する。まず、飲料が入れられている市販ボトル１２の蓋１８の頭部から受け具１４を被せ、蓋１８の溝部１９が受け具１４の図示しない溝部に嵌合され、受け具１４を軸周りに回転させると蓋１８もそれにともなって回転するように一体となる。さらに受け具１４にカップ３６を深く押し込むと、受け具１４の係合凹部２６にカップ本体３６の係合突起４０が嵌合し、係止される。カップ本体３６は透明な合成樹脂で作られているため、内側の受け具１４が外から透過して視認される。
【００１６】
次に、市販ボトル１２の内容物である飲料を飲むときは、カップ３６を市販ボトル１２から引き離して弾性変形により係合を解除して受け具１４から外す。次に受け具１４を回転させて蓋１８を一体に回転させ、市販ボトル１２の注ぎ口１６から螺合を解除して開封する。受け具１４を回転させるときは、突起２８に指を当接させると回し易くなる。そして市販ボトル１２内の飲料を、先に外したカップ３６に注いで飲む。飲み終わった後は、受け具１４とカップ３６を順に市販ボトル１２に戻し密閉する。このとき、カップ３６の内側に残った水滴は、カップ３６の上下が逆になるため、下側に、つまり開口部３８に移動し受け具１４の覆い部２０周縁部２０ａ付近に溜まり、外部に流れ出ることがない。
【００１７】
この実施形態の市販ボトル装着用容器１０によれば、簡単な構造でカップ３６を市販ボトル１２に着脱自在に取り付けられ、市販ボトル１２に収容されている飲料をカップ３６に移して飲むことができる。これにより、市販ボトル１２の中に異物や唾液が入らず衛生的である。また、飲み易くてこぼすことがなく、行儀よく飲料を飲むことができる。受け具１４の覆い部２０は豚のキャラクターの顔となるため、面白い外観となり、子供に好まれ、消費者に強い印象を与えることができる。市販ボトル１２の注ぎ口１６に一体に取り付けられるため、コンパクトで持ち運びが便利である。また、飲み終わった後に市販ボトル１２に取り付けるとき、カップ３６の内側についた水滴は、受け具１４の覆い部２０周縁部２０ａ付近に溜まるため、外側に落ちることがなく周囲を汚すことがなく、きれいに使用することができる。
【００１８】
なお、この実施形態の市販ボトル装着用容器１０は、図４に示すように受け具１４の覆い部２０が熊やその他のキャラクターでも良い。この場合、覆い部２０の天面２２はドーム形に形成されて熊の頭部となり、一対の耳４２が立体的に形成されている。覆い部２０には、熊の顔４４が印刷されている。また、係止筒部２４の内周面には、カップ３６を係合するときのガイドとなる溝部４６が複数個設けられてもよい。このとき、カップ３６には溝部４６に摺動可能に差し込まれる図示しない突起が設けられ、突起が溝部４６に嵌合されているとき、カップ３６を保持して軸周りに回転させると、受け具１４が一体に回転して蓋１８を開封することができる。
【００１９】
次にこの考案の第二実施形態について図５、図６に基づいて説明する。なお、ここで上記実施形態と同様の部材は同様の符号を付して説明を省略する。この実施形態の市販ボトル装着用容器４８は、市販ボトル１２の注ぎ口１６に取り付けられた蓋１８に係合される受け具５０が設けられ、受け具５０は、蓋１８を取り付けた注ぎ口１６を覆うドーム形の覆い部５２が形成されている。覆い部５２の内側面には、覆い部５２の頂部５２ａに一致して蓋１８を覆う円筒形の取付部５４が設けられている。取付部５４の内周面には、蓋１８の溝部１９が嵌合される溝部５５が形成されている。覆い部５２の、頂部５２ａと反対側の周縁部５２ｂは円錐状に広がり、係止筒部５６が一体に設けられている。係止筒部５６は、覆い部５２の突出方向に対して平行な中心軸を有する円筒形であり、係止筒部５６の内側面に、覆い部５２の周縁部５２ｂが連続している。係止筒部５６の内周面には、覆い部５２の周縁部５２ｂが連続する位置よりも僅かに覆い部５２の突出方向に移動した位置、つまり上側に、カップ３６の係合突起４０が差し込まれる係合凹部５８が形成されている。係止筒部５６の内周面の、周縁部５２ｂよりも僅かに下側にも同様に、カップ３６を下側から取り付けたときにカップ３６の係合突起４０が差し込まれる係合凹部６０が形成されている。
【００２０】
受け具５０の外側面には、覆い部５２の頂部５２ａに、上方に突出するツノ部６２が形成され、覆い部５２の中腹付近には、宇宙人の顔６４が印刷されている。また、市販ボトル装着用容器４８には、第一実施形態と同じ形状のカップ３６が取り付けられている。カップ３６は、受け具５０の上側と下側の両方に係止可能である。
【００２１】
次に、この実施形態の市販ボトル装着用容器４８の使用方法について説明する。まず、飲料が入れられている市販ボトル１２の蓋１８に受け具５０を嵌合させる。そして受け具５０にカップ３６を被せて押し込むと、受け具５０の係合凹部５８にカップ３６の係合突起４０が差し込まれ、係止される。市販ボトル１２の飲料を飲むときは、カップ３６を外して、次に受け具５０を回転させて蓋１８を一体に回転させて開封し、カップ３６に飲料を注いで飲む。市販ボトル装着用容器４８を市販ボトル１２に取り付けない場合、図６に示すように受け具５０の下側からカップ３６を押し込むと、受け具５０の下側に位置する係合凹部６０にカップ３６の係合突起４０が差し込まれて係止され、受け具５０の覆い部５２とカップ３６の間に収容空間が形成される。この収容空間の中に、菓子６６等を入れることができる。
【００２２】
この実施形態の市販ボトル装着用容器４８によれば、上記実施形態と同様の効果を有するものである。そして、市販ボトル１２に取り付けない場合、受け具５０の下側にカップ３６を係止して収容空間を作り、菓子６６等を入れて保管や携帯をすることができる。
【００２３】
なお、この実施形態の市販ボトル装着用容器４８は、図７、図８に示すように受け具５０の覆い部５２がひよこ等のキャラクターでもよい。覆い部５２の頂部５２ａはツノ部６２がないドーム形であり、覆い部５２の中腹付近には、ひよこの顔６８が印刷されている。係止筒部５６の覆い部５２側の端縁部５６ａは、卵の殻を連想させるように波形に切断されている。また、図８に示すようにカップ３６を受け具５０の上側に取り付け、カップ３６と覆い部５２の間に菓子７０等を入れてもよい。
【００２４】
次にこの考案の第三実施形態について図９に基づいて説明する。なお、ここで上記実施形態と同様の部材は同様の符号を付して説明を省略する。この実施形態の市販ボトル装着用容器７２の受け具７４は、図９(ａ)に示すように、市販ボトル１２の注ぎ口１６と蓋１８を覆う円筒形の覆い部７６が設けられ、覆い部７６の先端には天面７８が形成されて閉鎖され、天面７８と反対側の周縁部は円錐状に広がっている。
【００２５】
覆い部７６の先端には、後述するキャラクターの飾り物が被せられて設けられ、飾り物には覆い部７６の先端が差し込まれる穴部が設けられている。例えば、飾り物８０は図９(ｂ)に示すように、熊の顔のキャラクターである。また、図９(ｃ)に示すように、飾り物８２はヘルメットをかぶった人物や、図９(ｄ)に示すように、飾り物８４が帽子でも良い。飾り物８４を被せる場合は、覆い部７６に顔８６を印刷すると良い。
【００２６】
受け具７４には、カップ３６が着脱自在に取り付けられ、カップ３６は、各飾り物８０，８２，８４を覆って取り付けられるが、カップ本体３６は透明な合成樹脂で作られているため、各飾り物８０等が外から透過して視認される。
【００２７】
次に、この実施形態の市販ボトル装着用容器７２の使用方法について説明する。まず、飲料が入れられている市販ボトル１２の蓋１８に受け具７４を取り付ける。次に各飾り物８０等を覆い部７６に取り付け、各飾り物８０等を覆ってカップ３６を覆い部７６に取り付ける。市販ボトル１２の内容物である飲料を飲むときは、カップ３６を外して、次に受け具７４を回転させて蓋１８を一体に回転させて開封し、カップ３６に注いで飲む。
【００２８】
この実施形態の市販ボトル装着用容器７２によれば、上記各実施形態と同様の効果を有するものである。そして、覆い部７６に飾り物８０，８２，８４を取り付けて外観を変えて楽しむことができる。
【００２９】
次にこの考案の第四実施形態について図１０に基づいて説明する。なお、ここで上記実施形態と同様の部材は同様の符号を付して説明を省略する。この実施形態の市販ボトル装着用容器８８の受け具９０は、市販ボトル１２の注ぎ口１６を覆う円筒形の覆い部９２が設けられ、覆い部９２の内周面には注ぎ口１６の雄ネジに螺合される雌ネジ９８が形成されている。覆い部９２の先端には天面９４が設けられて閉鎖され、天面９４の裏側面には市販ボトル１２の注ぎ口１６に密着するパッキン９６が設けられている。なお、受け具９０の覆い部９２の外周面に、いろいろなキャラクターの顔を印刷してもよく、覆い部９２の天面９４に第三実施形態の各飾り物８０をかぶせてもよい。
【００３０】
次に、この実施形態の市販ボトル装着用容器８８の使用方法について説明する。まず、飲料が入れられている市販ボトル１２の蓋１８を外し、注ぎ口１６に受け具９０を被せて回転させ、注ぎ口１６の雄ネジに雌ネジ９８を螺合させ、パッキン９６で注ぎ口１６を密閉させて閉鎖する。市販ボトル１２に取り付けた受け具９０に、さらにカップ３６を係止する。市販ボトル１２の内容物である飲料を飲むときは、カップ３６を外して、次に受け具９０を回転させて螺合を解除して市販ボトル１２の注ぎ口１６を開封し、カップ３６に飲料を注いで飲む。
【００３１】
この実施形態の市販ボトル装着用容器８８によれば、市販ボトル１２に直接取り付けることができ、蓋１８がなくても飲料を密閉して保存又は携帯することができる。
【００３２】
なお、この実施形態の市販ボトル装着用容器８８は、図１１に示すように天面９４の中心に、天面９４の内外に連通する注出口１００が設けられても良い。覆い部９２の天面９４の周縁部には、注出口１００を密閉する構造を有するキャップ１０２が薄肉のヒンジ１０４で連結されて設けられていてもよい。
【００３３】
また、この実施形態の市販ボトル装着用容器８８は、図１２に示すように覆い部９２の先端に開口部１０６が設けられ、受け具９０の内側に連通していても良い。覆い部９２の外周面の、開口部１０６近傍には、雄ネジ１０８が設けられている。覆い部９２には、開口部１０６を密閉するキャップ１１０が、雄ネジ１０８に螺合されて密閉されている。
【００３４】
なお、この考案の市販ボトル装着用容器は、上記実施形態に限定されるものではなく、各部材の形状等適宜変更可能である。受け具に設けるキャラクターの種類は、自由にデザインすることができる。カップと受け具の間の収容空間に入れられるものは、菓子以外におもちゃ等いろいろなものを入れることができる。キャラクターは、印刷の他、シール等で設けても良い。
【図面の簡単な説明】
【００３５】
【図１】この考案の第一実施形態の市販ボトル装着用容器の斜視図である。
【図２】この考案の第一実施形態の市販ボトル装着用容器の平面図である。
【図３】この考案の第一実施形態の市販ボトル装着用容器の縦断面図である。
【図４】この考案の第一実施形態の市販ボトル装着用容器の変形例を示す斜視図である。
【図５】この考案の第二実施形態の市販ボトル装着用容器の斜視図である。
【図６】この考案の第二実施形態の市販ボトル装着用容器の縦断面図である。
【図７】この考案の第二実施形態の市販ボトル装着用容器の変形例を示す斜視図である。
【図８】この考案の第二実施形態の市販ボトル装着用容器の変形例を示す斜視図である。
【図９】この考案の第三実施形態の市販ボトル装着用容器の斜視図である。
【図１０】この考案の第三実施形態の市販ボトル装着用容器の変形例を示す斜視図である。
【図１１】この考案の第三実施形態の市販ボトル装着用容器の変形例を示す斜視図である。
【図１２】この考案の第三実施形態の市販ボトル装着用容器の変形例を示す斜視図である。
【符号の説明】
【００３６】
１０  市販ボトル装着用容器
１２  市販ボトル
１４  受け具
１６  注ぎ口
２０  覆い部
２２  天面
２４  係止筒部
２６  係合凹部
３０  目
３２  口
３４  鼻の穴
３６  カップ
３８  開口部
４０  係合突起
【図１】
0003146619.tif 000003
【図２】
0003146619.tif 000004
【図３】
0003146619.tif 000005
【図４】
0003146619.tif 000006
【図５】
0003146619.tif 000007
【図６】
0003146619.tif 000008
【図７】
0003146619.tif 000009
【図８】
0003146619.tif 000010
【図９】
0003146619.tif 000011
【図１０】
0003146619.tif 000012
【図１１】
0003146619.tif 000013
【図１２】
0003146619.tif 000014